(57)【要約】【課題】たとえ消灯時においてもデザインの統一性に優れた有機ＥＬ装置及び当該有機ＥＬ装置を備えた有機ＥＬモジュールを提供する。【解決手段】基板に、第１電極層と、機能層と、第２電極層を備えた有機ＥＬ素子を有する断面構造を備え、前記基板を平面視したときに、実際に発光する発光領域２５と、発光領域２５へ給電する給電領域が存在し、前記発光領域２５は、消灯時において鏡面を形成するものであり、前記鏡面と略同一の反射率の鏡面を備えた第１鏡面部材７を有し、第１鏡面部材７は給電領域を覆うように配されており、消灯時において、発光領域と一体的な鏡面を形成し、給電領域を第１鏡面部材７で隠して、発光領域２５と給電領域との境界を目立たなくする。【選択図】図４
2014056751.tif 000002
【特許請求の範囲】
【請求項１】
基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置において、
前記発光領域は、消灯時において鏡面を形成するものであり、
前記鏡面と略同一の反射率の鏡面を備えた鏡面部材を有し、
鏡面部材は給電領域を覆うように配されており、消灯時において、発光領域と一体的な鏡面を形成することを特徴とする有機ＥＬ装置。
【請求項２】
前記鏡面部材は、導電性を有しており、かつ、
外部から給電領域に電気を供給する給電部材として機能することを特徴とする請求項１に記載の有機ＥＬ装置。
【請求項３】
基材側から光を取り出すボトムエミッション型の有機ＥＬ装置であって、
基材は透光性を有しており、
基材の光出射面側に鏡面部材が配されていることを特徴とする請求項１又は２に記載の有機ＥＬ装置。
【請求項４】
前記鏡面部材は、導電性を有しており、
給電領域に直接的に電気を供給する導電部材を有し、
当該導電部材は、給電領域において、基材の光入射面側から光出射面側に連続して配されており、
導電部材を介して光出射面側から給電領域に給電することを特徴とする請求項３に記載の有機ＥＬ装置。
【請求項５】
第１電極層又は第２電極層は陰極を形成するものであり、
鏡面部材は、前記陰極を形成する第１電極層又は第２電極層と同一の素材によって形成されていることを特徴とする請求項１乃至４のいずれかに記載の有機ＥＬ装置。
【請求項６】
前記陰極を形成する第１電極層又は第２電極層は、銀又はアルミニウムで形成されていることを特徴とする請求項５に記載の有機ＥＬ装置。
【請求項７】
複数の請求項１乃至６のいずれかの有機ＥＬ装置を平面的に分布して敷設されて形成される有機ＥＬモジュールであって、
前記鏡面部材は２以上の有機ＥＬ装置の給電領域に跨がって配されていることを特徴とする有機ＥＬモジュール。
【発明の詳細な説明】
【技術分野】
【０００１】
本発明は、主に照明として用いられる有機ＥＬ（Electro Luminescence）装置に関するものである。また本発明は、当該有機ＥＬ装置を用いた有機ＥＬモジュールに関するものである。
【背景技術】
【０００２】
近年、白熱灯や蛍光灯に代わる照明装置として有機ＥＬモジュールが注目され、多くの研究がなされている。
【０００３】
ここで、有機ＥＬモジュールは、有機ＥＬ装置に封止構造やケーシングを施したものである。また、有機ＥＬ装置は、ガラス基板等の基材に、有機ＥＬ素子を積層し、この有機ＥＬ素子に給電するための給電構造を形成したものである。
そして、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
すなわち、有機ＥＬモジュールは、自発光デバイスであり、発光層の材料を適宜選択することにより、種々の波長の光を発光することができる。
【０００４】
また、有機ＥＬモジュールは、白熱灯や蛍光灯、ＬＥＤ照明に比べて厚さが極めて小さく軽量であり、且つ面状に発光するので、設置場所の制約が少ないという特長を有している。さらに、有機ＥＬモジュールは、白熱灯や蛍光灯に比べて発光効率が高いので消費電力が少なく、発熱が少ないという特長も有している。
【０００５】
ところで、近年の居住空間の照明機器は、単なる直接照明としての機能だけではなく、居住空間のデザイン性を高めるといった付加的な機能が求められている。例えば、照明機器は、主に夜等の暗い時間帯に使用されることが多く、太陽の光が差す時間帯（例えば、昼間）には、消灯（不使用状態）されていることが多い。このような時間帯では、照明機器は、発光時のみならず、消灯時においてもデザイン性が求められる。
【先行技術文献】
【特許文献】
【０００６】
【特許文献１】特開２０１２−１１９２３７号公報
【発明の概要】
【発明が解決しようとする課題】
【０００７】
例えば、照明装置として使用される有機ＥＬ装置としては特許文献１に記載されたものなどがある。
特許文献１に記載された有機ＥＬ装置は、同一平面上に実際に発光する発光領域と、当該発光領域への給電のための給電領域が混在している。給電領域においては、透明電極層のみが積層しており、給電用配線によって給電されている。
また、特許文献１に記載の有機ＥＬ装置の構造は、ガラス基板上に透明導電層、発光機能層、金属層が積層されている。消灯時には、ガラス基板と透明導電層と発光機能層はいずれも透光性を有している。すなわち、特許文献１に記載の有機ＥＬ装置を照明として使用した場合、消灯時における有機ＥＬ装置の発光領域における外観は、金属層の色が反映され、給電領域における外観は、給電用配線が反映される。そのため、有機ＥＬ装置の外観に給電用配線が現れてしまい、見栄えが悪い。それ故に、従来の有機ＥＬモジュールは、見栄えを良くするために、給電領域を樹脂フレーム等によって隠す必要がある。
【０００８】
ところが、発光領域における金属層は、真空蒸着装置等によって表面凹凸がきわめて少ない状態で積層されているため、鏡面光沢を有した状態で形成されている。そのため、消灯時における発光領域と樹脂フレームで覆った給電領域と間で外観が著しく異なるものとなってしまい、統一感がなく、デザイン性も悪いものとなっていた。
特に複数の有機ＥＬ装置を敷き詰めて大型の有機ＥＬモジュールとして使用する場合には、有機ＥＬ装置間の境界部位を樹脂フレームで覆うと、消灯時に有機ＥＬ装置間の境界部位が目立ち、よりいっそう統一感が損なわれ、見栄えが悪い。
【０００９】
そこで、本発明は、たとえ消灯時においてもデザインの統一性に優れた有機ＥＬ装置及び当該有機ＥＬ装置を備えた有機ＥＬモジュールを提供することを課題とする。
【課題を解決するための手段】
【００１０】
発明者は、消灯時において、発光領域では、金属層の色が外観に影響を与えるともに、色の分布なく均一である点に注目した。すなわち、消灯時における発光領域の色調を利用して、全体的に統一性を高めることでデザイン性の向上を図った。そして、発光領域以外の部位に消灯時の金属層とほぼ同一の反射率を有した部材を配設することによって一体的な鏡面を形成し、外観上の統一感及びデザイン性が向上すると考えた。
【００１１】
このような考えのもと導き出された請求項１に記載の発明は、基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置において、前記発光領域は、消灯時において鏡面を形成するものであり、前記鏡面と略同一の反射率の鏡面を備えた鏡面部材を有し、鏡面部材は給電領域を覆うように配されており、消灯時において、発光領域と一体的な鏡面を形成することを特徴とする有機ＥＬ装置である。
【００１２】
本発明の構成によれば、給電領域を鏡面部材で覆い隠している。そのため、給電領域内の配線や溝といった内部構造が外観に現れない。それ故に、良好な外観を得ることができる。
また、消灯時において、給電領域と一体的な鏡面を形成するため、発光領域と給電領域との境界部位が目立たなくなり、統一性が高く、見栄えがよい。
【００１３】
請求項２に記載の発明は、前記鏡面部材は、導電性を有しており、かつ、外部から給電領域に電気を供給する給電部材として機能することを特徴とする請求項１に記載の有機ＥＬ装置である。
【００１４】
本発明の構成によれば、鏡面部材を給電部材として使用できるため、給電用の配線等を新たに設ける必要がない。
【００１５】
請求項３に記載の発明は、基材側から光を取り出すボトムエミッション型の有機ＥＬ装置であって、基材は透光性を有しており、基材の光出射面側に鏡面部材が配されていることを特徴とする請求項１又は２に記載の有機ＥＬ装置である。
【００１６】
本発明の構成によれば、ボトムエミッション型である。すなわち、基材に光を透過させて光を取り出す構造となっている。そして、基材の光出射側の面（積層体の積層する側と反対側）、すなわち、外観に現れる側に鏡面部材が配されているため、給電領域が鏡面部材に隠されて、外観上に現れにくい。
【００１７】
請求項４に記載の発明は、前記鏡面部材は、導電性を有しており、給電領域に直接的に電気を供給する導電部材を有し、当該導電部材は、給電領域において、基材の光入射面側から光出射面側に連続して配されており、導電部材を介して光出射面側から給電領域に給電することを特徴とする請求項３に記載の有機ＥＬ装置である。
【００１８】
本発明の構成によれば、導電部材は、給電領域において基材の光入射面側から光出射面側に連続して配されており、導電部材を介して光出射面側から給電領域に給電する。すなわち、導電部材を介して、光出射面側から電気を給電可能な給電構造を有している。そのため、有機ＥＬ装置を鏡面部材に載置することで、鏡面部材を介して積層体に電気を給電することができる。言い換えると、鏡面部材は、給電領域を隠すだけではなく、給電部材の一部としても使用可能となっている。
【００１９】
請求項５に記載の発明は、第１電極層又は第２電極層は陰極を形成するものであり、鏡面部材は、前記陰極を形成する第１電極層又は第２電極層と同一の素材によって形成されていることを特徴とする請求項１乃至４のいずれかに記載の有機ＥＬ装置である。
【００２０】
本発明の構成によれば、陰極を形成する第１電極層又は第２電極層と同一素材によって形成されているため、鏡面部材の反射率を、陰極を形成する第１電極層又は第２電極層の反射率に近づけやすい。それ故に、発光領域と給電領域との境界をより視認しにくくすることができ、使用者に発光領域と給電領域の全体を一面として認識させることができる。
【００２１】
請求項５に記載の有機ＥＬ装置において、前記陰極を形成する第１電極層又は第２電極層は、銀又はアルミニウムで形成されていることが好ましい（請求項６）。
【００２２】
請求項７に記載の発明は、複数の請求項１乃至６のいずれかの有機ＥＬ装置を平面的に分布して敷設されて形成される有機ＥＬモジュールであって、前記鏡面部材は２以上の有機ＥＬ装置の給電領域に跨がって配されていることを特徴とする有機ＥＬモジュールである。
【００２３】
本発明の構成によれば、複数の有機ＥＬ装置を平面的に分布して敷設されて形成される有機ＥＬモジュールである。すなわち、複数の有機ＥＬ装置を敷き詰めて発光面積を大型化するものである。
前記鏡面部材は２以上の有機ＥＬ装置の給電領域に跨がって配されているため、共通の鏡面部材によって給電領域を覆い隠せるため、部品点数を少なくすることができる。
【発明の効果】
【００２４】
本発明の有機ＥＬ装置によれば、消灯時に発光領域と反射率が近い鏡面部材を給電領域に取り付けるため、消灯時の外観に統一性があり、見栄えがよい。
本発明の有機ＥＬモジュールによれば、共通の鏡面部材で給電領域を隠すことができるため、部品点数を少なくすることができる。
【図面の簡単な説明】
【００２５】
【図１】本発明の有機ＥＬモジュールの居住空間への設置例の説明図である。
【図２】図１の有機ＥＬモジュールの拡大図である。
【図３】図１の有機ＥＬモジュールの分解斜視図である。
【図４】図１の有機ＥＬモジュールの分解斜視図であり、理解を容易にするため、フレーム部材を省略している。
【図５】図２の有機ＥＬモジュールのＡ−Ａ断面図である。
【図６】図３の有機ＥＬ装置の電極部と有機ＥＬ素子の積層構造との関係を表す説明図である。
【図７】図２の有機ＥＬモジュールを居住空間側から視た平面図である。
【図８】図２の有機ＥＬモジュールの回路構造を表す説明図である。
【発明を実施するための形態】
【００２６】
以下、本発明の実施形態について詳細に説明する。
なお、以下の説明において、特に断りがない限り、有機ＥＬモジュール１の上下の位置関係は、図１の姿勢を基準に説明する。すなわち、有機ＥＬモジュール１を天井４０と平行にし、有機ＥＬモジュール１の発光面３１が居住空間４１側を向いている状態を基準とする。
【００２７】
本実施形態の有機ＥＬモジュール１は、図２，図３，図４のように、複数の有機ＥＬ装置２を平面状に分布して１つの大型照明を形成するものである。
【００２８】
有機ＥＬモジュール１は、図３のように複数の有機ＥＬ装置２（２ａ〜２ｐ）と、第１導電部材５（５ａ〜５ｄ），６（６ａ〜６ｄ）と、第１鏡面部材７（７ａ〜７ｅ）と、絶縁部材８と、第２鏡面部材１０（１０ａ〜１０ｅ）と、フレーム部材１１によって形成されている。
そして、本実施形態の有機ＥＬモジュール１は、第１鏡面部材７（７ａ〜７ｅ）と、第２鏡面部材１０（１０ａ〜１０ｅ）によって、有機ＥＬ装置２間の境界近傍を隠す構造となっている。
【００２９】
有機ＥＬ装置２は、図６のように点灯時に実際に発光する発光面３１を囲むように給電領域２６，２７と額縁領域２８，２９を有している。
有機ＥＬ装置２は、図６のようにその面内において、点灯時に実際に発光する発光面３１を有した発光領域２５と、点灯時に発光領域２５への給電に寄与する複数の電極部１５，１６を有した給電領域２６，２７と、図示しない配線等を設置可能な額縁領域２８，２９を有している。
具体的には、発光領域２５は、長さ方向ｌにおいて有機ＥＬ装置２の中央に位置しており、その周囲であって、長さ方向ｌに対向する２辺近傍にそれぞれ給電領域２６，２７が配されている。また、発光領域２５は、幅方向ｗ（長さ方向及び部材厚方向に対して直交する方向）の中央に位置しており、その周囲であって、幅方向ｗに対向する２辺近傍にそれぞれ額縁領域２８，２９が配されている。
【００３０】
有機ＥＬ装置２の発光領域２５の長さ方向ｌの外側に位置する給電領域２６，２７の構成について説明すると、有機ＥＬ装置２の給電領域２６，２７は、図４，図６のように有機ＥＬ素子３０内の第１電極層３３又は第２電極層３６と電気的に接続された電極部１５，１６を複数有している。電極部１５，１６は、幅方向ｗに給電領域２６，２７全体に延伸している。
本実施形態の有機ＥＬ装置２では、電極部１５が第１電極層３３と電気的に接続されており、電極部１６が第２電極層３６と電気的に接続されている。
【００３１】
本実施形態の有機ＥＬ装置２は、図６のように透光性を有した基板３２（基材）上に有機ＥＬ素子３０（積層体）を積層している。
有機ＥＬ素子３０は、図６のように少なくとも第１電極層３３と第２電極層３６との間に実際に発光する機能層３５（有機発光層）を備えたものである。本実施形態の有機ＥＬモジュール１では、少なくとも基板３２側から光を取り出すいわゆる「ボトムエミッション型」の有機ＥＬ装置２を採用しており、有機ＥＬ素子３０は、基板３２側から第１電極層３３、機能層３５、第２電極層３６がこの順に積層されて形成されている。
【００３２】
基板３２の材質は、透明性と絶縁性を備えたものであれば、特に限定されるものではなく、例えば、フレキシブルなフィルム基板やプラスチック基板などから適宜選択され用いられる。特にガラス基板や透明なフィルム基板は透明性や加工性の良さの点から好適である。
【００３３】
第１電極層３３は、透明導電性酸化物によって形成された層であり、消灯時において、透明性を有した層である。具体的には、インジウム錫酸化物（ＩＴＯ）などが採用できる。本実施形態の第１電極層３３は、陽極として使用されており、ＩＴＯで形成されている。
【００３４】
機能層３５は、第１電極層３３と第２電極層３６との間に設けられ、少なくとも一層の有機発光層を備えた層である。本実施形態の機能層３５は、主に有機化合物からなる複数の層から構成されている。この機能層３５は、一般的な有機ＥＬ装置に用いられている低分子系色素材料や、共役系高分子材料などの公知のもので形成することができる。また、この機能層３５は、ホール注入層、ホール輸送層、有機発光層、電子輸送層、電子注入層などの複数の層からなる積層多層構造であってもよい。
機能層３５は、消灯時において、透明あるいはほぼ透明となっている。
【００３５】
第２電極層３６は、特に限定されるものではなく、例えば銀（Ａｇ）やアルミニウム（Ａｌ）などが挙げられる。本実施形態の第２電極層３６は、陰極として使用されており、Ａｌで形成されている。
第２電極層３６は、真空蒸着装置等によって形成されており、表面が鏡面となっている。
【００３６】
続いて第１導電部材５，６について説明する。
第１導電部材５，６は、電気伝導性を有した箔状又は板状の部材であり、図４のように塑性変形させて使用可能な部材である。第１導電部材５，６は、各有機ＥＬ装置２の電極部１５，１６と、これらに対応する第１鏡面部材７ａ〜７ｅとを電気的に接続する部材である。本実施形態の第１導電部材５，６は、図４のように折り曲げて使用され、いずれも引き延ばすと、長い箔状の部材となる。また、第１導電部材５，６は、引き延した状態において、いずれも帯状に延びている。
【００３７】
第１導電部材５，６は、図４，図５のように使用時において、断面形状が「コ」字状をしており、その内側に有機ＥＬ装置２の給電領域２６，２７（図６参照）が介在可能となっている。すなわち、第１導電部材５，６は、図４のように天面部２０と、底面部２２と、天面部２０と底面部２２を接続する立壁部２１から形成されており、これらによって囲まれた空間内に有機ＥＬ装置２を挿入可能となっている。
また、第１導電部材５，６の材質は、電気伝導性を有していれば、特に限定されるものではなく、例えば、銅や銀、金、白金などが採用できる。本実施形態では、銅箔を採用している。
【００３８】
続いて、第１鏡面部材７（７ａ〜７ｅ）について説明する。
第１鏡面部材７は、有機ＥＬ装置２の第２電極層３６と同程度の反射率及び鏡面光沢度を有した部材である。本実施形態の第１鏡面部材７は、外観上の露出面（絶縁部材８側の面）に鏡面を有している。当該鏡面の反射率は、８０パーセント以上１００パーセント以下であることが好ましく、８５パーセント以上１００パーセント以下であることがより好ましく、９０パーセント以上１００パーセント以下であることが特に好ましい。
ここでいう「鏡面光沢度」とは、光沢の度合いを比較する尺度であり、物体の表面に光が当たる際の正反射光の強さで光沢度を表したものである。
【００３９】
第１鏡面部材７は、電気伝導性を有した板体又は箔体によって形成されている。
第１鏡面部材７は、鏡面及び電気伝導性を有していれば、特に限定されるものではなく、例えば、少なくとも１つの面が鏡面処理の施された銀箔、アルミニウム箔、銀板、アルミニウム板などが採用できる。
本実施形態では第１鏡面部材７は、有機ＥＬ素子３０の第２電極層３６と同一の素材によって形成されており、具体的には、アルミニウム箔が採用されている。
第１鏡面部材７の幅（長さ方向ｌの長さ）は、図３のように第１導電部材５，６の底面部２２を外観上隠すことができる大きさとなっている。具体的には、長さ方向ｌ両端に位置する第１鏡面部材７ａ，７ｅの幅（長さ方向ｌの長さ）Ｌ１は、第１導電部材５，６の底面部２２の幅と等しい大きさとなっており、これらの内側に位置する第１鏡面部材７ｂ，７ｃ，７ｄの幅Ｌ２は、第１導電部材５，６の底面部２２の幅の２倍の大きさとなっている。
【００４０】
続いて、第２鏡面部材１０（１０ａ〜１０ｅ）について説明する。
第２鏡面部材１０は、長尺状の板状体又は箔状体であり、第１鏡面部材７と同程度の反射率及び鏡面光沢度を有している。
本実施形態の第２鏡面部材１０は、第１鏡面部材７と同一の材質で形成されており、第１鏡面部材７と同様、少なくとも１つの面が鏡面となっている。
当該鏡面の反射率は、８０パーセント以上１００パーセント以下であることが好ましく、８５パーセント以上１００パーセント以下であることがより好ましく、９０パーセント以上１００パーセント以下であることが特に好ましい。
【００４１】
第２鏡面部材１０の幅（幅方向ｗの長さ）は、図３のように有機ＥＬ装置２の額縁領域２８，２９を外観上隠すことができる大きさとなっている。具体的には、幅方向ｗ両端に位置する第２鏡面部材１０ａ，１０ｅの幅（幅方向ｗの長さ）Ｗ１は、有機ＥＬ装置２の額縁領域２８，２９の幅（幅方向ｗの長さ）と等しい大きさとなっており、これらの内側に位置する第２鏡面部材１０ｂ，１０ｃ，１０ｄの幅Ｗ２は、有機ＥＬ装置２の額縁領域２８，２９の幅（幅方向ｗの長さ）の２倍の大きさとなっている。
本実施形態では第２鏡面部材１０は、有機ＥＬ素子３０の第２電極層３６と同一の素材によって形成されており、具体的には、アルミニウム箔が採用されている。
【００４２】
続いて、絶縁部材８について説明する。
絶縁部材８は、絶縁性を有した板状体又はフィルムである。複数の有機ＥＬ装置２を敷き詰めた際に、全面を覆うことが可能となっている。
絶縁部材８の材質は、絶縁性を有していれば、特に限定されるものではなく、例えば、ポリエチレンテレフタレート（ＰＥＴ）等が採用できる。
絶縁部材８の幅方向ｗの長さは、第１鏡面部材７ａ〜７ｅの長手方向の長さとほぼ等しく、絶縁部材８の長さ方向ｌの長さは、第２鏡面部材１０ａ〜１０ｅの長手方向の長さとほぼ等しい。
【００４３】
続いて、フレーム部材１１について説明する。
フレーム部材１１は、少なくとも底部１２が透明性を有した筺体であり、敷き詰められた有機ＥＬ装置２ａ〜２ｐの一体的に保持する部材である。
フレーム部材１１は、図３のように底部１２と、底部１２から上方に向けて立設した周壁部１３によって形成されている。すなわち、フレーム部材１１は、底部１２と周壁部１３によって囲まれた固定空間１４を形成している。
フレーム部材１１は、樹脂製のフレームであり、伸縮自在となっている。また、フレーム部材１１は、底部１２が透明性を有しているため、その固定空間１４内を底部１２の下方（居住空間側）から視認可能となっている。
【００４４】
続いて、有機ＥＬモジュール１の各部材の位置関係について説明する。
１つの有機ＥＬ装置２に注目すると、図４，図５のように有機ＥＬ装置２の長さ方向ｌの対辺の縁には第１導電部材５，６が取り付けられている。すなわち、第１導電部材５，６の空間内に有機ＥＬ装置２の端部が挿入されている。具体的には、有機ＥＬ装置２の給電領域２６，２７に対応する下面を底面部２２が覆っており、有機ＥＬ装置２の端面を立壁部２１が覆っており、有機ＥＬ装置２の上面を天面部２０が覆っている。
有機ＥＬ装置２側から視ると、有機ＥＬ装置２の給電領域２６，２７には、第１導電部材５，６が巻き付けられている。そして、有機ＥＬ装置２の電極部１５には、図４のように第１導電部材５の天面部２０が接触しており、電極部１６には、第１導電部材６の天面部２０が接触している。
【００４５】
有機ＥＬモジュール１の全体からみると、有機ＥＬモジュール１に内蔵される有機ＥＬ装置２は、図３のように長さ方向ｌ及び幅方向ｗに碁盤状に並設されており、ほぼ隙間無く敷き詰められている。そして、有機ＥＬモジュール１は、面状に敷き詰められた有機ＥＬ装置２の大外（外周）の輪郭をフレーム部材１１によって固定されている。
第１鏡面部材７は、図３のように長さ方向ｌに所定の間隔を空けて互いに平行になるように配されている。具体的には、１つの有機ＥＬ装置２の給電領域２６，２７間の距離にほぼ等しい。言い換えると、発光領域２５の長さとほぼ等しい。
また、第１鏡面部材７の長手方向は、幅方向ｗを向いている。
【００４６】
第２鏡面部材１０は、幅方向ｗに所定の間隔を空けて互いに平行になるように配されており、第２鏡面部材１０の長手方向は、長さ方向ｌを向いている。すなわち、平面視すると、第１鏡面部材７と第２鏡面部材１０は互いに交差する方向に向いており、本実施形態では、互いに直交している。
第１導電部材５，６は、それぞれの長手方向が幅方向ｗに向くように１列に並んでいる。すなわち、第１導電部材５，６は、第１鏡面部材７の長手方向に並設されている。
【００４７】
図３に示されるように長さ方向ｌに並列された有機ＥＬ装置２ａ〜２ｄに取り付けられた第１導電部材５ａ，５ａ，５ａ，５ａの下面全体に１枚の第１鏡面部材７ａが位置しており、第１導電部材６ａ，６ａ，６ａ，６ａの下面全体に前記第１鏡面部材７ａに隣接する第１鏡面部材７ｂが位置している。同様に、有機ＥＬ装置２ｅ〜２ｈに取り付けられた第１導電部材５ｂ，５ｂ，５ｂ，５ｂの下面全体に１枚の第１鏡面部材７ｂが位置しており、第１導電部材６ｂ，６ｂ，６ｂ，６ｂの下面全体に前記第１鏡面部材７ｂに隣接する第１鏡面部材７ｃが位置している。
【００４８】
第１鏡面部材７ｂ側からみると、図３，図５に示されるように有機ＥＬ装置２の第１鏡面部材７ｂの上面には、有機ＥＬ装置２ａ〜２ｄに取り付けられた第１導電部材６ａが載置されており、さらに前記有機ＥＬ装置２ａ〜２ｄの長さ方向ｌに隣接する有機ＥＬ装置２ｅ〜２ｈに取り付けられた第１導電部材５ｂが載置されている。
このように、第１鏡面部材７は、複数の有機ＥＬ装置２に跨がって配されており、長さ方向ｌ及び幅方向ｗにおいて複数の第１導電部材５，６が同一面に載置されている。
【００４９】
また、図５に示されるように、長さ方向ｌに隣接する有機ＥＬ装置２間の境界部位に第１鏡面部材７及び第１導電部材５，６が位置しており、図３に示されるように、幅方向ｗに隣接する有機ＥＬ装置２間の境界部位に第２鏡面部材１０が位置している。すなわち、第１鏡面部材７と第２鏡面部材１０は、有機ＥＬ装置２の外周縁に沿って設けられており、それぞれ有機ＥＬ装置２の給電領域２６，２７及び額縁領域２８，２９を隠すように設けられている。
【００５０】
絶縁部材８の周囲に注目すると、図３のように、絶縁部材８の裏面（有機ＥＬ装置２側の面）には、第１鏡面部材７ａ〜７ｅが配設されており、絶縁部材８の表面（有機ＥＬ装置２と反対側の面）には、第２鏡面部材１０ａ〜１０ｅが配設されている。言い換えると、第１鏡面部材７ａ〜７ｅと第２鏡面部材１０ａ〜１０ｅとの間には絶縁部材８が挟まれている。
【００５１】
図７のように有機ＥＬモジュール１を下方側（居住空間側）から視ると、各有機ＥＬ装置２の給電領域２６，２７（図６参照）は、第１鏡面部材７で隠されており、視認不能となっている。すなわち、有機ＥＬ装置２の給電領域２６，２７（図６参照）と第１導電部材５，６（図４参照）と第１鏡面部材７は部材厚方向に重なっている。
また、各有機ＥＬ装置の額縁領域２８，２９（図６参照）は、第２鏡面部材１０で隠されており、視認不能となっている。すなわち、有機ＥＬ装置２の額縁領域２８，２９（図６参照）と第２鏡面部材１０は部材厚方向に重なっている。
【００５２】
続いて、有機ＥＬモジュール１の消灯時の外観について説明する。
消灯時には、上記したように有機ＥＬ装置２は、基板３２、第１電極層３３、機能層３５がいずれも透明となっており、さらに絶縁部材８及びフレーム部材１１も透明となっているため、発光領域２５においては、第２電極層３６の色が外観に反映されており、鏡面となっている。
給電領域２６，２７においては、給電領域２６，２７にそれぞれ第１導電部材５，６が位置し、さらにその上が第１鏡面部材７によって覆われているため、絶縁部材８及びフレーム部材１１を透過して第１鏡面部材７の色が外観に反映されており、鏡面となっている。
額縁領域２８，２９においては、第２鏡面部材１０によって覆われているため、絶縁部材８及びフレーム部材１１を透過して第２鏡面部材１０の色が外観に反映されており、鏡面となっている。
このように、有機ＥＬモジュール１は、各有機ＥＬ装置２の発光領域２５、給電領域２６，２７、額縁領域２８，２９の全ての領域の外観が鏡面になっているため、消灯時であっても、外観が均一となり、一体感がある。それ故に、デザイン性が高い。
【００５３】
発光時の有機ＥＬモジュール１内の想定される電流の流れについて説明する。なお、図８のように有機ＥＬモジュール１の両端に位置する第１鏡面部材７ａ，７ｅに、外部電源が電気的に接続された場合について説明する。
【００５４】
外部電源から供給された電流は、図７，図８に示される長さ方向ｌの一方の端部に位置する第１鏡面部材７ａに伝わる。そして、第１鏡面部材７ａに伝わった電流は、第１導電部材５ａを介して、幅方向ｗに並列した有機ＥＬ装置２ａ〜２ｄのそれぞれの電極部１５（図４参照）に電流が供給される。有機ＥＬ装置２ａ〜２ｄのそれぞれの電極部１５に供給された電流は、発光領域２５内の有機ＥＬ素子３０に給電されて、有機ＥＬ素子３０内の機能層３５が発光し、発光面３１が発光する。また、有機ＥＬ装置２ａ〜２ｄの有機ＥＬ素子３０を通過した電流は、それぞれの電極部１６（図４参照）から出て、第１導電部材６ａに伝わる。第１導電部材６ａに伝わった電流の大部分は、直接第１導電部材５ｂに直接伝わる。また、第１導電部材６ａに伝わった電流の一部は、第１鏡面部材５ｂを介して第１導電部材５ｂに伝わる。すなわち、第１鏡面部材７ｂは、電気伝導の補助として機能する。
そして、第１導電部材６ｂに伝わった電流は、幅方向ｗに並列した有機ＥＬ装置２ｅ〜２ｈのそれぞれの電極部１５に至る。
このようにして幅方向ｗに並設した有機ＥＬ装置２を介して電流が流れていき、第１導電部材６ｄから第１鏡面部材７ｅに至り、外部電源に伝わる。
このように、有機ＥＬモジュール１に内蔵する有機ＥＬ装置２ａ〜２ｐが全て発光する。
【００５５】
本発明の有機ＥＬモジュールであれば、幅方向ｗに隣接する有機ＥＬ装置２のそれぞれの電極部１５は、第１鏡面部材７によって同電位となり、幅方向ｗに隣接する有機ＥＬ装置２のそれぞれの電極部１６も、第１鏡面部材７によって同電位となる。すなわち、電気的に並列回路を形成するため、有機ＥＬ装置２を交換しやすい。
【００５６】
上記した実施形態では、複数の有機ＥＬ装置２を備えた有機ＥＬモジュール１について説明したが、本発明はこれに限定されるものではなく、１つの有機ＥＬ装置２を備えた有機ＥＬモジュール１であってもよい。
【００５７】
上記した実施形態では、ボトムエミッション型の有機ＥＬ装置を採用したが、本発明はこれに限定されるものではなく、電極側（基板と反対側）から光を取り出すトップエミッション型の有機ＥＬ装置であってもよい。
【符号の説明】
【００５８】
１  有機ＥＬモジュール
２  有機ＥＬ装置
５，６  第１導電部材（導電部材）
７  第１鏡面部材（鏡面部材）
１０  第２鏡面部材
２５  発光領域
２６，２７  給電領域
２８，２９  額縁領域
３０  有機ＥＬ素子（積層体）
３２  基板（基材）
３３  第１電極層
３５  機能層（有機発光層）
３６  第２電極層
【図１】
2014056751.tif 000003
【図２】
2014056751.tif 000004
【図３】
2014056751.tif 000005
【図４】
2014056751.tif 000006
【図５】
2014056751.tif 000007
【図６】
2014056751.tif 000008
【図７】
2014056751.tif 000009
【図８】
2014056751.tif 000010